(57)【要約】【課題】前面枠の下枠板部裏面における各樋の組付スペースの拡大を図り、また、上球皿をできる限り下げられるようにして遊技盤の下方への拡大が余裕を持って行なえるようにしたパチンコ遊技機を提供する。【解決手段】前面枠２の下枠板部２ａの一側に球払出装置２５からのパチンコ球を前面枠５の前側へ排出する球排出口２７が開設され、下枠板部２ａ前面に装着される前板１４の前面には球排出口２７と連通する上球皿１３が装着されたパチンコ遊技機Ｐであって、前記下枠板部２ａの後側に下枠板部２ａを前面枠２の厚み幅の範囲内で前方へ窪ませると共にその開放する後面を後面板３１によって覆着することにより球貯留部３２を成形し、また、球排出口２７に隣接位置させて該球排出口２７と連通しかつ球貯留部３２とその上端部で連通する溢出口２８を開設した構成からなる。【選択図】図２
2006061595.tif 000002
【特許請求の範囲】
【請求項１】
遊技盤が設置される前面枠の下枠板部の一側に球払出装置から払い出されるパチンコ球を該前面枠の前側へ排出する球排出口が開設され、前記下枠板部の前面に前板が装着され、前記前板の前面には前記球排出口と連通し該球排出口から排出され打球発射部へ供給されるパチンコ球を貯留するための上球皿が装着されたパチンコ遊技機であって、
前記下枠板部の後側に該下枠板部を前記前面枠の厚み幅の範囲内で前方へ窪ませると共にその開放する後面を後面板によって覆着することにより球貯留部を成形し、また、前記球排出口に隣接位置させて該球排出口と連通しかつ前記球貯留部とその上端部で連通する溢出口を開設し、前記上球皿から溢れるパチンコ球が前記溢出口から前記球貯留部に貯留されるようにしたことを特徴とするパチンコ遊技機。
【請求項２】
前記球貯留部に、前記打球発射部から前記遊技盤面に発射されるも該打球発射部側へ逆戻りしたパチンコ球を排出するためのファール球排出通路と前記上球皿に貯留されるパチンコ球を球抜きするための球送り通路とがそれぞれ接続される請求項１記載のパチンコ遊技機。
【発明の詳細な説明】
【技術分野】
【０００１】
本発明は、遊技盤が設置される前面枠の下枠板部の後側に球貯留部を成形し、該球貯留部に上球皿から溢れるパチンコ球を貯留するようにしたパチンコ遊技機に関するものである。
【背景技術】
【０００２】
従来のパチンコ遊技機は、例えば次の構成を備えている。すなわち、該パチンコ遊技機は、前面枠の裏面に遊技盤の裏面を覆う機構板が装着され、この機構板には球タンクからのパチンコ球を供給する球払出装置が装着され、この球払出装置の下方に該球払出装置から払い出されたパチンコ球を上球皿に導く球払出樋や該球払出樋と連なり上球皿から溢れるパチンコ球を下方の下球皿に導く溢れ球排出樋が配設された構成を有する（例えば、特許文献１参照。）。また、該パチンコ遊技機は、遊技盤が設置される前面枠の上部前面に遊技盤の前面を覆う透明板保持枠が軸着され、その下部前面に該下部前面を覆う前板が軸着されており、該前板の前面には打球発射部へ供給されるパチンコ球を貯留する上球皿と該上球皿から溢れるパチンコ球を貯留する下球皿とが装着された構成を有する（例えば、特許文献２参照。）。
【特許文献１】特開平８−２５２３６８号公報(第３−４頁、図１)
【特許文献２】特開２００２−１９１８１７号公報(第２−３頁、図１)
【発明の開示】
【発明が解決しようとする課題】
【０００３】
前記特許文献１のパチンコ遊技機のように、前面枠の下枠板部の裏面には、機構板に一体に成形される球払出樋や溢れ球排出樋を初めアウト球を排出するアウト球樋、入賞球を排出する入賞球樋など多くの樋が下枠板部の裏面を覆うようにして配設されている。中でも、前面枠の下部前面の略中央に下球皿が装着される関係上、前記溢れ球排出樋が下枠板部裏面中央の上部から下部に亘って伸び大きなスペースを占めていた。このため、他の樋の取付スペースが制限されることになり、それら樋の取付に苦慮しているのが現状である。
【０００４】
また、近年、第二種すなわちフィーバータイプのパチンコ遊技機にあっては、遊技の興趣を増大させる狙いから、遊技盤の中央に装着され数字、図柄等の情報を変動表示する可変表示装置が大型化する傾向にあり、これに伴い遊技盤裏側に装着され遊技内容を制御する中央制御基板ボックスも大型化しつつある。このように可変表示装置や中央制御基板ボックスが大型化すると、遊技盤も大型化することになる。しかしながら、遊技盤が大型化するということは、遊技盤を下方へ伸ばすしかないが、その下方には特許文献２のパチンコ遊技機ように前面枠の前面に上球皿と下球皿がそれぞれ上下に装着されていることから、遊技盤の下方への拡大にも限界があり、遊技盤の大型化指向も頭打ちとなっている。
【０００５】
そこで、本発明は上記課題を解決すべくなされたもので、下枠板部の後側に球排出口に隣接位置させて溢出口と上端部で連通する球貯留部を成形し、上球皿から溢れるパチンコ球を溢出口から前記球貯留部に貯留するようにして、機構板下部すなわち前面枠の下枠板部裏面における各樋の組付スペースの拡大を図り、また、上球皿をできる限り下げられるようにして遊技盤の下方への拡大が余裕を持って行なえるようにしたパチンコ遊技機を提供することを目的とするものである。
【課題を解決するための手段】
【０００６】
かかる目的を達成するため本発明に係るパチンコ遊技機は、遊技盤が設置される前面枠の下枠板部の一側に球払出装置から払い出されるパチンコ球を該前面枠の前側へ排出する球排出口が開設され、前記下枠板部の前面に前板が装着され、前記前板の前面には球排出口と連通し該球排出口から排出され打球発射部へ供給されるパチンコ球を貯留するための上球皿が装着されたパチンコ遊技機であって、前記下枠板部の後側に該下枠板部を前記前面枠の厚み幅の範囲内で前方へ窪ませると共にその開放する後面を後面板によって覆着することにより球貯留部を成形し、また、前記球排出口に隣接位置させて該球排出口と連通しかつ前記球貯留部とその上端部で連通する溢出口を開設し、上球皿から溢れるパチンコ球が溢出口から球貯留部に貯留されるようにした構成からなる。
【０００７】
また、この場合、前記球貯留部に、打球発射部から遊技盤面に発射されるも該打球発射部側へ逆戻りしたパチンコ球を排出するためのファール球排出通路と前記上球皿に貯留されるパチンコ球を球抜きするための球送り通路とをそれぞれ接続することが好ましい。
【発明の効果】
【０００８】
本発明に係る請求項１記載のパチンコ遊技機は、前面枠の下枠板部の後側に該前面枠の厚み幅の範囲内で上球皿から溢れるパチンコ球を貯留する球貯留部を成形し、球排出口に隣接位置させて該球排出口と連通しかつ球貯留部とその上端部で連通する溢出口を開設するようにしたので、前面枠の下枠板部の後面に従来のような溢れ球排出樋がなくなって組付スペースの空きができ、ここに各種樋ばかりでなく例えば配線基板を装着できるなど、組付の自由度が増すという効果がある。また、前面枠の下枠板部の前面には、従来の下球皿が不要になり、上球皿をできる限り下げられることから、遊技盤の拡大が余裕を持って行なえ、これによりスケールの大きい盤面ゲージが可能となって、遊技の興趣が一段と高められるという効果がある。
【０００９】
また、請求項２記載のパチンコ遊技機は、ファールとなったパチンコ球を排出するためのファール球排出通路と上球皿に貯留されるパチンコ球を球抜きするための球送り通路とをそれぞれ球貯留部に接続するようにしたので、これらパチンコ球が一箇所に集められ、パチンコ球の処理がし易いという効果がある。
【発明を実施するための最良の形態】
【００１０】
以下、本発明に係るパチンコ遊技機の実施の形態を図面に基づき説明する。図１は本発明に係るパチンコ遊技機の前面斜視図、図２は同透明板保持枠と前板を開き下覆板を外した状態の斜視図、図３は同裏面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は合成樹脂製であってその上部中央に略円形の窓開口４が開設され、下部にはその前面に後記する前板１４や下覆板１６が取着される下枠板部２ａが成形される。
【００１１】
前記前面枠２の裏側に下枠板部２ａの上面に載るようにして遊技盤５が設置される。そして、遊技盤５前面の遊技部５ａが、内側・外側ガイドレール６ａ，６ｂに囲われるようにして前記窓開口４に臨むようになっている。遊技盤５の遊技部５ａには、ほぼ中央に位置して数字、図柄等の情報が変動表示される可変表示装置７、その下方に位置してパチンコ球の入賞によって該可変表示装置７を作動させる始動入賞口８、更にその下方に位置して前記可変表示装置７の情報が特定の表示に揃ったとき一定の条件で一度に多くの入賞球としてのパチンコ球が得られる入賞装置９、一般入賞口１０といった盤面部品がそれぞれ装着されている。
【００１２】
前面枠２の上部前面に、遊技盤５前面の遊技部５ａを覆い２枚の透明板としてのガラス板１１を前後に平行に配置した透明板保持枠１２が開閉自在に軸着される。また、前面枠２の下枠板部２ａの前面に前記透明板保持枠１２の下方に位置して上球皿１３を装着した前板１４が開閉自在に軸着される。更に、前板１４の下方で下枠板部２ａの前面一側に球抜皿１５を装着した下覆板１６が螺子１６ａ止めにより固着され、また、前面他側に操作ハンドル１７を装着した保持板１８が固着されている。
【００１３】
前面枠２の裏側に、遊技盤５の裏面を覆うようにして合成樹脂製の機構板１９が回動自在に装着される。機構板１９の中央に、遊技盤５の裏面に取り付けられ遊技盤５の裏側へ入賞球として排出されるパチンコ球を集め下方へ導く入賞球集合カバー２０が臨む開口２１が開設される。機構板１９の裏面に、前記開口２１を囲うようにその上部に球タンク２２が配置され、その下方にタンクレール２３が配置されると共にその流下端にカーブレール２４を介して球払出装置２５が配設されている。球払出装置２５の下方に、その球払出装置２５から排出されるパチンコ球を前記上球皿１３に導くための球払出樋２６が設けられる。
【００１４】
前記前面枠２の下枠板部２ａには、その一側上部に前記球払出樋２６と連通し、球払出装置２５から払い出されるパチンコ球を前面枠２の前側へ排出する球排出口２７が開設される。また、該球排出口２７に隣接位置させて下枠板部２ａに上球皿１３から溢れるパチンコ球を排出するための溢出口２８が開設される。すなわち、図６に示すように前記球払出樋２６における球排出口２７側に寄せた内壁一側に溢れ球口２９が開設され、該溢れ球口２９が溢れ球排出樋３０を介してその下端の溢出口２８と連通するようになっている。前記溢出口２８は下枠板部２ａの裏側に成形され後記する球貯留部３２とその上端部で連通しており、上球皿１３から溢れたパチンコ球を球排出口２７、溢れ球口２９を介して溢れ球排出樋３０内に流入させ、その流下端の溢出口２８から球貯留部３２内に排出して貯留することになる。
【００１５】
そして、本発明では図４、図５に示すように前記下枠板部２ａの後側に、操作ハンドル１７側を残して下枠板部２ａを前面枠２の厚み幅の範囲内で前方へ窪ませると共にその開放する後面を後面板３１によって覆着することにより、下枠板部２ａと後面板３１との間に球貯留部３２が成形される。この球貯留部３２は、前記上球皿１３から溢れるパチンコ球を貯留するようにしたもので、従来の下球皿に貯留される平均的なパチンコ球量がそのまま貯留される程度の広さを有する。前記球排出口２７と溢出口２８に対応する球貯留部３２の上端面は開放しており、各上端開放面３３ａ，３３ｂに上から臨むようになっている。
【００１６】
下枠板部２ａの操作ハンドル１７側には、その前面に打球発射レール３４が装着される。該打球発射レール３４の先端は前記外側ガイドレール６ｂの基端部にファール球排出通路３５を介して連なっている。また、保持板１８の後側に操作ハンドル１７を握ることにより通電して駆動する駆動モータ３６と該駆動モータ３６によって往復回動する打球槌３７とが配置され、前記打球発射レール３４の打球発射部３４ａに打球槌３７が臨み打球発射部３４ａの位置にあるパチンコ球を打球して発射させるようにしている。打球槌３７の打球力は操作ハンドル１７の回動量によって調節される。
【００１７】
前記上端開放面３３ａ，３３ｂの他に、前記球貯留部３２の外周面であってほぼ中央にファール球排出通路３５と連通する横向きのファール球導入口３８が開設される。また、球貯留部３２前面の中央寄り上部に、前記前板１４の後面に開設され上球皿１３から球送り通路３９を介して球抜きされたパチンコ球を排出するための上皿球抜口３９ａと連通する球受入れ口４０が開設される。更に、同じく前面の中央寄り下部には、球貯留部３２に貯留されるパチンコ球を球抜きするための貯留部球抜口４１が開設されている。
【００１８】
球貯留部３２内は、下辺の底板４２が貯留部球抜口４１に向かって下傾しており、貯留部球抜口４１の上方に正面略コ字型の受板４３が配置される。また、球貯留部３２の一側に後面板３１から前方へ突出しかつその下端面と底板４２上面との間に空間部が成形されるようにして縦長方形枠４４が配置される。そして、該縦長方形枠４４と近接する側壁との間に上端が前記溢出口２８に対応する上端開放面３３ｂとなる縦通路４５が成形される。
【００１９】
縦長方形枠４４には縦通路４５側に透口４６が開設され、該透口４６の上端に該透口４６を塞ぐようにして検知板４７が揺動自在に軸着されている。この検知板４７は、球貯留部３２内に溜まるパチンコ球の球量を検知するためのものであり、常にはその下部が透口４６から縦通路４５側に張り出している。また、縦長方形枠４４内には、検知板４７と対向位置してリミットスイッチ４８が配置され、検知板４７がパチンコ球に押されて内側へ揺動したときそれを電気的に検知し、球貯留部３２がパチンコ球で一杯であることを知らせるようになっている。
【００２０】
球貯留部３２の前面他側に、スピーカー４９を嵌入する収容凹部５０が凹設されている。前記下覆板１６には、図７に示すようにその中央に前記貯留部球抜口４１と連通する連通口５１が開設される。そして、下覆板１６の前面に連通口５１を囲うようにして球抜皿１５が装着される。この球抜皿１５はパチンコ球を貯留するというよりも、そこからパチンコ球を抜くためのものである。よって、従来の下球皿に比べて非常に小さく成形される。そして、球抜皿１５の下面に球抜き口５２が開設されると共に該球抜き口５２にスライドして該球抜き口５２を開閉するシャッター板５３が設けられている。
【００２１】
前記シャッター板５３は、スプリングなどの弾発手段（図示せず。）によって常に球抜き口５２を塞ぐように付勢され、シャッター板５３に一体に設けられた摘み５４を持ち弾発手段に抗して該シャッター板５３をスライドさせることにより、球抜き口５２が開口できるようになっている。また、球抜皿１５の上面は開放されているが、これは、例えば、遊技中に上球皿１３に球貯留部３２内のパチンコ球を補給したい場合に遊技者が球抜皿１５から手で直接パチンコ球を取り出せるようにするためであって、他の手段が可能であれば前記球抜皿１５の上面に蓋をして内部を密閉状にしても良い。
【００２２】
前記下覆板１６の前面であって球抜皿１５の一側に前記スピーカ４９を覆うスピーカカバー５５が取着される。スピーカ４９は遊技者のほぼ前面に位置し向き合うことから、出される音は遊技者に直に伝わり迫力が有って高い音響効果が得られる。また、他側に２個のスイッチボタン５６ａ，５６ｂ及び灰皿５７が装着される。前記一方のスイッチボタン５６ａは、例えば、遊技中に一時打球の発射を止めるため、また、他方のスイッチボタン５６ｂは、例えば、可変表示装置７の表示部に変動して表示される情報を遊技者の意思で停止させるためのものである。また、前記スイッチボタン５６ａ，５６ｂはそれらに限定されるものではなく、他の用途に使用しても良い。
【００２３】
前板１４を閉じたとき、球貯留部３２の前面上部が該前板１４により覆われ、前板１４に貫通状に取着され上球皿１３と連なる連絡樋５８の後端面が前面枠２側の球排出口２７に合致し、球払出装置２５から払い出されるパチンコ球が上球皿１３に排出される。一方、遊技中であって上球皿１３及び球払出樋２６にパチンコ球が連なって貯留されており、故障などの点検のため前板１４を開いた場合であっても、前記球払出樋２６に残っているパチンコ球は、そのまま上端開放面３３ａを介して球貯留部３２内に取り込まれることになり、外部に零れ落ちるようなことはない。
【００２４】
本発明に係るパチンコ遊技機Ｐは上記構成からなり、次に作用について説明する。例えば、遊技中に始動入賞口８にパチンコ球が入賞し、可変表示装置７の表示部の情報が変動し、一定時間経過後に特定の組合せ（例えば、「７７７」）に揃い大当たり状態となると、入賞装置９の扉が一定の条件のもとで複数回開いてその入賞装置９に多くのパチンコ球が入賞する。これに伴い、球払出装置２５が動作して多くのパチンコ球が賞球として払い出される。これらパチンコ球は、球払出樋２６に導かれて球排出口２７を介して上球皿１３に貯留される。
【００２５】
そして、上球皿１３がパチンコ球で一杯になりパチンコ球が溢れるようになると、図６に示すようにこの溢れるパチンコ球は球排出口２７内側の溢れ球口２９から溢れ球排出樋３０に流入し、更に、該溢れ球排出樋３０に導かれて溢出口２８から上端開放面３３ｂを介し縦通路４５を通過しつつ球貯留部３２内に流入する。図７に示すように流入したパチンコ球の内、先のパチンコ球は底板４２上面を転動し、貯留部球抜口４１を介して球抜皿１５に達する。この球抜皿１５には僅かなパチンコ球しか停留せず、ほとんどのパチンコ球は球貯留部３２内に貯留されることになる。
【００２６】
球貯留部３２に一定量のパチンコ球が溜まり縦通路４５内にまで達すると、検知板４７が球圧により縦長方形枠４４内に回動し、これに伴いリミットスイッチ４８がオン動作して球貯留部３２にパチンコ球が一杯であることを知らせる。その方法として例えば、駆動モータ３６の回転を停止して打球動作を不能にさせる。そこで、遊技者は球抜皿１５の下方に球箱（図示せず。）を置き、摘み５４を持ちシャッター板５３をスライドさせて球抜きを行なう。球貯留部３２内のパチンコ球が減ってきて検知板４７が球圧から開放されもとの位置に復帰すると、リミットスイッチ４８がオフ動作し、再び打球の発射動作が行なえるようになる。
【００２７】
また、打球発射部３４ａから発射されたパチンコ球であって運悪く遊技盤５の遊技部５ａに達せず、逆戻りしたファール球としてのパチンコ球はファール球排出通路３５に落下してファール球導入口３８から球貯留部３２内に貯留される。一方、遊技終了後に上球皿１３内にパチンコ球が残っている場合、これらパチンコ球は、上球皿１３に設けられる球抜きレバー（図示せず。）を操作することにより、上皿球抜口３９ａ及び球受入れ口４０を介して球貯留部３２に貯留される。
【００２８】
本実施の形態では、図３、図７に示すように機構板１９の裏側下部に、各入賞口またはアウト球排出口から遊技盤５の裏面に入賞球として排出されるパチンコ球とアウト球としてのパチンコ球を集合させる球集合樋５９が設けられる。また、その中央に下端が開放し前記球集合樋５９内のパチンコ球をパチンコ遊技機Ｐの外側へ排出する球放出樋６０が設けられている。この球放出樋６０は、後面板３１の後面から後方へ比較的離して配置される。よって、後面板３１すなわち前面枠２の下枠板部２ａの裏側に自由な組付スペースＳ，Ｓが確保され、それら組付スペースＳ，Ｓに例えば遊技を制御するための配線基板ボックス６１を装着できることになる。
【００２９】
このように、本発明は、前面枠２の下枠板部２ａの後側に該前面枠２の厚み幅の範囲内で上球皿１３から溢れるパチンコ球を貯留する球貯留部３２を成形し、また、球排出口２７に隣接位置させて該球排出口２７と連通しかつ球貯留部３２とその上端部で連通する溢出口２８を開設するようにしたので、前面枠２の下枠板部２ａの後面に従来のような溢れ球排出樋がなくなって組付スペースＳができ、ここに各種樋ばかりでなく例えば配線基板ボックス６１を装着できるなど、組付の自由度が増す。
【００３０】
また、前面枠２の下枠板部２ａの前面には、従来の下球皿が不要になり、上球皿１３をできる限り下げられることから、遊技盤５の拡大が余裕を持って行なえ、これによりスケールの大きい盤面ゲージが可能となる。
【００３１】
更に、ファールとなったパチンコ球を排出するためのファール球排出通路３５と上球皿１３に貯留されるパチンコ球を球抜きするための球送り通路とを球貯留部３２に接続するようにしたので、これらパチンコ球が一箇所に集められ、パチンコ球の処理がし易い。
【００３２】
本発明にあっては、前面に上球皿１３を装着した前板１４について説明したが、前板１４はこれ以外に下覆板１６部位が一体に成形されるものであっても良い。
【図面の簡単な説明】
【００３３】
【図１】本発明に係るパチンコ遊技機の前面斜視図。
【図２】同透明板保持枠と前板を開き下覆板を外した状態の斜視図。
【図３】同裏面図。
【図４】同前板と下覆板を外した状態の正面図。
【図５】機構板を外すと共に後面板を外した状態の前面枠の裏面斜視図。
【図６】図４のＸ−Ｘ線断面図。
【図７】パチンコ遊技機の一部の縦断面図。
【符号の説明】
【００３４】
２                    前面枠
２ａ                  下枠板部
５                    遊技盤
１３                  上球皿
１４                  前板
２５                  球払出装置
２７                  球排出口
２８                  溢出口
３１                  後面板
３２                  球貯留部
３４ａ                打球発射部
３５                  ファール球排出通路
３９                  球送り通路
Ｐ                    パチンコ遊技機
【図１】
2006061595.tif 000003
【図２】
2006061595.tif 000004
【図３】
2006061595.tif 000005
【図４】
2006061595.tif 000006
【図５】
2006061595.tif 000007
【図６】
2006061595.tif 000008
【図７】
2006061595.tif 000009